(57)【特許請求の範囲】
【請求項１】
柱状の第１上斜行部材と、
前記第１上斜行部材の上端面に上端面が上斜行部材用部材間接合部で接合された第２上斜行部材と、
前記第１上斜行部材及び前記第２上斜行部材の下部若しくは下端部に梁パネル接合部材用上側部材間接合部又は梁パネル接合部材用外側部材間接合部で接合され下方に垂設又は水平に配設された一対の梁パネル接合部材と、
一方の前記梁パネル接合部材の下部若しくは下端部又は内側端部に梁パネル接合部材用下側部材間接合部又は梁パネル接合部材用内側部材間接合部で接合され前記第１上斜行部材と平行に配設された第１下斜行部材と、
他方の前記梁パネル接合部材の下部若しくは下端部又は内側端部に梁パネル接合部材用下側部材間接合部又は梁パネル接合部材用内側部材間接合部で接合され前記第２上斜行部材と平行に配設されるとともに前記第１下斜行部材の上端面に上端面が下斜行部材用部材間接合部で接合された第２下斜行部材と、
前記第１上斜行部材及び前記第２上斜行部材と前記第１下斜行部材及び前記第２下斜行部材の間に配設された１乃至複数の間柱部と、
前記第１上斜行部材、前記第２上斜行部材、一対の前記梁パネル接合部材、前記第１下斜行部材及び前記第２下斜行部材で囲まれる枠面の前面及び／又は後面に覆設された面材部と、
を備え、前記梁パネル接合部材が、垂設された前記梁パネル接合部材の外側面又は水平に配設された前記梁パネル接合部材の下面に穿孔され、梁パネルとの接合時に接合用治具が挿着され接着材が充填される梁パネル接合用他パネル間接合孔部を備えたことを特徴とする小屋パネル。
【請求項２】
前記第１上斜行部材及び前記第２上斜行部材と前記第１下斜行部材及び前記第２下斜行部材の間に配設された棟木継ぎパネル接合部材及び小屋継ぎパネル接合部材と、
前記棟木継ぎパネル接合部材の前面又は後面の所定部に前記面材部を介して又は介さないで穿孔され、棟木継ぎパネルとの接合時に接合用治具が挿着され接着材が充填される棟木継ぎパネル接合用他パネル間接合孔部と、
前記小屋継ぎパネル接合部材の前面又は後面の所定部に前記面材部を介して又は介さないで穿孔され、小屋継ぎパネルとの接合時に接合用治具が挿着され接着材が充填される小屋継ぎパネル接合用他パネル間接合孔部と、
を備えたことを特徴とする請求項１に記載の小屋パネル。
【請求項３】
前記第１上斜行部材及び前記第２上斜行部材の下端部に延設された軒部を備えたことを特徴とする請求項１又は２に記載の小屋パネル。
【請求項４】
妻用の小屋パネルであって、
柱状の第１斜行部材と、
前記第１斜行部材の上端面に上端面が斜行部材用部材間接合部で接合された第２斜行部材と、
前記第１斜行部材及び／又は前記第２斜行部材に支持部材用部材間接合部で接合され下方に垂設された支持部材と、
前記第１斜行部材、前記第２斜行部材及び前記支持部材の下部若しくは下端部に接合された端枠部材と、
前記第１斜行部材及び前記第２斜行部材と前記端枠部材の間に配設された１乃至複数の間柱部と、
前記第１斜行部材、前記第２斜行部材及び前記端枠部材で囲まれる枠面の前面及び／又は後面に覆設された面材部と、
を備え、前記支持部材が、前記支持部材の下端面に前記端枠部材を介して穿孔され、梁パネルとの接合時に接合用治具が挿着され接着材が充填される梁パネル接合用他パネル間接合孔部を備えたことを特徴とする小屋パネル。
【請求項５】
前記第１斜行部材及び前記第２斜行部材と前記端枠部材の間に配設された小屋継ぎパネル接合部材と、
前記小屋継ぎパネル接合部材の前面又は後面の所定部に前記面材部を介して又は介さないで穿孔され、小屋継ぎパネルとの接合時に接合用治具が挿着され接着材が充填される小屋継ぎパネル接合用他パネル間接合孔部と、
前記小屋継ぎパネル接合部材の下端面に前記端枠部材を介して穿孔され、前記梁パネルとの接合時に接合用治具が挿着され接着材が充填される梁パネル接合用他パネル間接合孔部と、
前記支持部材の前面又は後面の所定部に前記面材部を介して又は介さないで穿孔され、棟木継ぎパネルとの接合時に接合用治具が挿着され接着材が充填される棟木継ぎパネル接合用他パネル間接合孔部と、
を備えたことを特徴とする請求項４に記載の小屋パネル。
【請求項６】
前記上斜行部材用部材間接合部、前記梁パネル接合部材用上側部材間接合部又は前記梁パネル接合部材用外側部材間接合部、前記梁パネル接合部材用下側部材間接合部又は前記梁パネル接合部材用内側部材間接合部、及び前記下斜行部材用部材間接合部、又は、前記支持部材用部材間接合部、或いは、前記柱部材用部材間接合部が、接合する部材の接合面に対向して穿孔された連通孔形成部を連通して形成された連通孔と、前記連通孔に挿着された接合用治具と、前記接合用治具の棒状部材の表面と前記連通孔の内壁間に充填された接着剤と、を備えたことを特徴とする請求項１乃至５の内いずれか１項に記載の小屋パネル。
【請求項７】
前記接合用治具が、断面が略円形、略楕円形又は略多角形のいずれかであって表面に突部が形成された直線状又は折曲状等の棒状部材と、前記棒状部材の長手方向に形成され前記棒状部材の両端部で開口する中空部と、前記中空部の１開口部に形成された枝管係合部と、前記枝管係合部に脱着自在に又は固定して係合された枝管中空部を有する枝管と、を有するストレート型の接合用治具であることを特徴とする請求項１乃至６の内いずれか１項に記載の小屋パネル。
【請求項８】
前記接合用治具が、断面が略円形、略楕円形又は略多角形のいずれかであって表面に突部が形成された直線状又は折曲状等の棒状部材と、前記棒状部材の長手方向に形成され前記棒状部材の両端部で開口する中空部と、前記棒状部材の長手方向の中央部に周面から前記中空部まで連通して形成された枝管係合部と、前記枝管係合部に脱着自在に又は固定して係合された中空部を有する枝管と、を有するＴ字型の接合用治具であることを特徴とする請求項１乃至６の内いずれか１項に記載の小屋パネル。
【請求項９】
前記接合用治具が、断面が略円形、略楕円形又は略多角形のいずれかであって表面に突部が形成された直線状又は折曲状等の棒状部材と、前記棒状部材の長手方向に形成され前記棒状部材の一端部で開口し他端部が閉塞された中空部と、前記閉塞側の前記棒状部材の周面から前記中空部まで連通して形成された枝管係合部と、前記枝管係合部に脱着自在に又は固定して係合された中空部を有する枝管と、を有するＬ字型の接合用治具であることを特徴とする請求項１乃至６の内いずれか１項に記載の小屋パネル。
【請求項１０】
前記上斜行部材用部材間接合部、前記梁パネル接合部材用上側部材間接合部又は前記梁パネル接合部材用外側部材間接合部、前記梁パネル接合部材用下側部材間接合部又は前記梁パネル接合部材用内側部材間接合部、及び前記下斜行部材用部材間接合部、又は、前記支持部材用部材間接合部、或いは、前記柱部材用部材間接合部の内いずれか１以上が、接合する各部材間の接合面に１部材の周面から穿孔して形成された貫設連通孔形成部と、他部材の接合面に形成された有底連通孔形成部と、前記各接合面を当接させて形成される連通孔と、前記連通孔に挿着された請求項７に記載のストレート型の接合用治具と、前記ストレート型の接合用治具の前記枝管中空部から前記棒状部材の中空部を経て前記連通孔の内壁と前記ストレート型の接合用治具の外壁との間に充填された接着剤で接合されていることを特徴とする請求項６に記載の小屋パネル。
【請求項１１】
前記上斜行部材用部材間接合部、前記梁パネル接合部材用上側部材間接合部又は前記梁パネル接合部材用外側部材間接合部、前記梁パネル接合部材用下側部材間接合部又は前記梁パネル接合部材用内側部材間接合部、及び前記下斜行部材用部材間接合部、又は、前記支持部材用部材間接合部、或いは、前記柱部材用部材間接合部の内いずれか１以上が、接合する各部材間の接合面に開口して形成された有底連通孔形成部と、前記有底連通孔形成部の開口部から前記接合面に沿って前記部材の周面まで切削された切削部と、他部材の接合面に形成された有底連通孔形成部と、前記各接合面を当接させて形成される連通孔と、前記連通孔及び切削部に前記棒状部材及び枝管が装着された請求項８に記載のＴ字型の接合用治具と、前記Ｔ字型の接合用治具の枝管中空部から棒状部材の中空部を経て前記連通孔内壁と前記Ｔ字型の接合用治具の外壁との間に充填された接着剤で接合されていることを特徴とする請求項６に記載の小屋パネル。
【請求項１２】
前記上斜行部材用部材間接合部、前記梁パネル接合部材用上側部材間接合部又は前記梁パネル接合部材用外側部材間接合部、前記梁パネル接合部材用下側部材間接合部又は前記梁パネル接合部材用内側部材間接合部、及び前記下斜行部材用部材間接合部、又は、前記支持部材用部材間接合部、或いは、前記柱部材用部材間接合部の内いずれか１以上が、１部材の接合面に開口して形成された有底連通孔形成部と、他部材の接合面に形成せれた連通孔の後部に前記連通孔と連通して形成されたほぞ溝とを有するほぞ溝付き連通孔形成部と、前記各接合面を当接させて形成される連通孔と、前記ほぞ溝から前記連通孔に装着された請求項９に記載のＬ字型の接合用治具と、前記Ｌ字型の接合用治具の枝管中空部から棒状部材の中空部を経て前記連通孔内壁と前記Ｌ字型の接合用治具の外壁との間に充填された接着剤で接合されていることを特徴とする請求項６に記載の小屋パネル。
【請求項１３】
請求項２に記載の小屋パネルの施工方法であって、前記梁パネルと前記梁パネル接合部材を前記接合用治具を用いて接合し前記小屋パネルを所定の間隔で前記梁パネル間に架け渡す梁パネル接合工程と、前記棟木継ぎパネルを前記棟木継ぎパネル接合部材に前記接合用治具を用いて接合し前記小屋パネル間に架け渡す棟木継ぎパネル接合工程と、前記小屋継ぎパネルを前記小屋継ぎパネル接合部材に前記接合用治具を用いて接合し前記小屋パネル間に架け渡す小屋継ぎパネル接合工程と、を有することを特徴とする小屋パネルの施工方法。
【請求項１４】
請求項５に記載の小屋パネルの施工方法であって、前記支持部材及び前記小屋継ぎパネル接合部材の下端部と前記梁パネルを前記接合用治具を用いて接合し前記小屋パネルを妻側の前記梁パネル上に立設する梁パネル接合工程と、前記棟木継ぎパネルを前記支持部材と前記接合用治具を用いて接合し前記小屋パネルと他の小屋パネルを連結する棟木継ぎパネル接合工程と、前記小屋継ぎパネルを前記小屋継ぎパネル接合部材と接合用治具を用いて接合し前記小屋パネルと前記他の小屋パネルを連結する小屋継ぎパネル接合工程と、を有することを特徴とする妻側の小屋パネルの施工方法。
【発明の詳細な説明】
【０００１】
【発明の属する技術分野】
本発明は住宅等の建設物の小屋組に用いられる小屋パネル並びにそれらの施工方法に関し、特に接合用治具により接合された剛性の高い小屋パネル及びその施工方法に関するものである。
【０００２】
【従来の技術】
近年、住宅等の建築物に対する要求が多様化し種々の建築工法が取り入れられるとともにそれに適応する建築部材として多種のパネルが開発されている。特に小屋組は複雑な構造をなし施工に手間がかかるとともに屋根を支持し応力に耐えうる強度が要求されている。
従来の小屋組も種々の技術が開発されている。
例えば、特開平６−４９９４１号公報（以下イ号公報と呼ぶ。）には複数の束の上部にそれぞれ棟木や母屋を取り付け、この棟木、母屋上に、中間部に平板状の芯材を挟んでその両側に略同寸法の表面材を添着してなる屋根パネルを載置し工期が大幅に短縮できると共に、低コストによる施工が可能となる小屋組が開示されている。
【０００３】
【発明が解決しようとする課題】
しかしながら上記従来の小屋組では、以下のような問題点を有していた。
（１）一体に形成されたパネルを小屋組に用いるのではないので施工工程が多く施工に時間がかかり熟練した作業者を必要とし作業性に劣るという問題点を有していた。
（２）各部材を取付金具や釘或いは接着材で接合するので接合部にがたが生じまた小屋組の剛性が低く強度が弱く耐久性に劣るという問題点を有していた。
（３）接合のための取付金具が各部材の表面に突出して外装板の施工が困難で取付金具を取り付ける手間を要し作業性に劣るという問題点を有していた。
（４）イ号公報に記載の小屋組では桁方向に所定の間隔でこの小屋組を組むための梁を設けねばならず施工が複雑となり作業性に劣るという問題点を有していた。
（５）イ号公報に記載の小屋組では小屋組内部に束が所定の間隔で配設されており小屋組内部に十分な空間がなく物置等に利用できないという問題点を有していた。
（６）屋根のスパンによりトラス梁や山中伏は部材の長さを変えて作製する必要があり木材の入手や小屋の作製に手間を要するという問題点を有していた。
【０００４】
本発明は上記従来の問題点を解決するもので、パネル化により施工工程が少なく施工時間を短縮でき未熟練者でも施工が可能であり小屋の構成部材の部品点数を少なくし工場生産に適し生産性が高く間伐材の使用も可能で、かつ、部材間接合部が強固に接合され剛性が高くがたや撓み等の少ない小屋パネルの提供、及び接合用治具を他パネル間接合孔部に挿着し接着剤を充填するだけで施工が完了し施工性が高く剛性及び耐力の高い優れた小屋パネルの施工方法の提供を目的とするものである。
【０００５】
【課題を解決するための手段】
この目的を達成するために本発明の小屋パネル及びその施工方法は以下の構成を有している。
請求項１に記載の小屋パネルは、柱状の第１上斜行部材と、前記第１上斜行部材の上端面に上端面が上斜行部材用部材間接合部で接合された第２上斜行部材と、前記第１上斜行部材及び前記第２上斜行部材の下部若しくは下端部に梁パネル接合部材用上側部材間接合部又は梁パネル接合部材用外側部材間接合部で接合され下方に垂設又は水平に配設された一対の梁パネル接合部材と、一方の前記梁パネル接合部材の下部若しくは下端部又は内側端部に梁パネル接合部材用下側部材間接合部又は梁パネル接合部材用内側部材間接合部で接合され前記第１上斜行部材と平行に配設された第１下斜行部材と、他方の前記梁パネル接合部材の下部若しくは下端部又は内側端部に梁パネル接合部材用下側部材間接合部又は梁パネル接合部材用内側部材間接合部で接合され前記第２上斜行部材と平行に配設されるとともに前記第１下斜行部材の上端面に上端面が下斜行部材用部材間接合部で接合された第２下斜行部材と、前記第１上斜行部材及び前記第２上斜行部材と前記第１下斜行部材及び前記第２下斜行部材の間に配設された１乃至複数の間柱部と、前記第１上斜行部材、前記第２上斜行部材、一対の前記梁パネル接合部材、前記第１下斜行部材及び前記第２下斜行部材で囲まれる枠面の前面及び／又は後面に覆設された面材部と、を備え、前記梁パネル接合部材が、垂設された前記梁パネル接合部材の外側面又は水平に配設された前記梁パネル接合部材の下面に穿孔され、梁パネルとの接合時に接合用治具が挿着され接着材が充填される梁パネル接合用他パネル間接合孔部を備えた構成を有している。
請求項２に記載の小屋パネルは、請求項１において、前記第１上斜行部材及び前記第２上斜行部材と前記第１下斜行部材及び前記第２下斜行部材の間に配設された棟木継ぎパネル接合部材及び小屋継ぎパネル接合部材と、前記棟木継ぎパネル接合部材の前面又は後面の所定部に前記面材部を介して又は介さないで穿孔され、棟木継ぎパネルとの接合時に接合用治具が挿着され接着材が充填される棟木継ぎパネル接合用他パネル間接合孔部と、前記小屋継ぎパネル接合部材の前面又は後面の所定部に前記面材部を介して又は介さないで穿孔され、小屋継ぎパネルとの接合時に接合用治具が挿着され接着材が充填される小屋継ぎパネル接合用他パネル間接合孔部と、を備えた構成を有している。
請求項３に記載の小屋パネルは、請求項１又は２において、前記第１上斜行部材及び前記第２上斜行部材の下端部に延設された軒部を備えた構成を有している。
請求項４に記載の小屋パネルは、妻用の小屋パネルであって、柱状の第１斜行部材と、前記第１斜行部材の上端面に上端面が斜行部材用部材間接合部で接合された第２斜行部材と、前記第１斜行部材及び／又は前記第２斜行部材に支持部材用部材間接合部で接合され下方に垂設された支持部材と、前記第１斜行部材、前記第２斜行部材及び前記支持部材の下部若しくは下端部に接合された端枠部材と、前記第１斜行部材及び前記第２斜行部材と前記端枠部材の間に配設された１乃至複数の間柱部と、前記第１斜行部材、前記第２斜行部材及び前記端枠部材で囲まれる枠面の前面及び／又は後面に覆設された面材部と、を備え、前記支持部材が、前記支持部材の下端面に前記端枠部材を介して穿孔され、梁パネルとの接合時に接合用治具が挿着され接着材が充填される梁パネル接合用他パネル間接合孔部を備えた構成を有している。
請求項５に記載の小屋パネルは、請求項４において、前記第１斜行部材及び前記第２斜行部材と前記端枠部材の間に配設された小屋継ぎパネル接合部材と、前記小屋継ぎパネル接合部材の前面又は後面の所定部に前記面材部を介して又は介さないで穿孔され、小屋継ぎパネルとの接合時に接合用治具が挿着され接着材が充填される小屋継ぎパネル接合用他パネル間接合孔部と、前記小屋継ぎパネル接合部材の下端面に前記端枠部材を介して穿孔され、前記梁パネルとの接合時に接合用治具が挿着され接着材が充填される梁パネル接合用他パネル間接合孔部と、前記支持部材の前面又は後面の所定部に前記面材部を介して又は介さないで穿孔され、棟木継ぎパネルとの接合時に接合用治具が挿着され接着材が充填される棟木継ぎパネル接合用他パネル間接合孔部と、を備えた構成を有している。
請求項６に記載の小屋パネルは、請求項１乃至５の内いずれか１項において、前記上斜行部材用部材間接合部、前記梁パネル接合部材用上側部材間接合部又は前記梁パネル接合部材用外側部材間接合部、前記梁パネル接合部材用下側部材間接合部又は前記梁パネル接合部材用内側部材間接合部、及び前記下斜行部材用部材間接合部、又は、前記支持部材用部材間接合部、或いは、前記柱部材用部材間接合部が、接合する部材の接合面に対向して穿孔された連通孔形成部を連通して形成された連通孔と、前記連通孔に挿着された接合用治具と、前記接合用治具の棒状部材の表面と前記連通孔の内壁間に充填された接着剤と、を備えた構成を有している。
請求項７に記載の小屋パネルは、請求項１乃至６の内いずれか１項において、前記接合用治具が、断面が略円形、略楕円形又は略多角形のいずれかであって表面に突部が形成された直線状又は折曲状等の棒状部材と、前記棒状部材の長手方向に形成され前記棒状部材の両端部で開口する中空部と、前記中空部の１開口部に形成された枝管係合部と、前記枝管係合部に脱着自在に又は固定して係合された枝管中空部を有する枝管と、を有するストレート型の接合用治具である構成を有している。
請求項８に記載の小屋パネルは、請求項１乃至６の内いずれか１項において、前記接合用治具が、断面が略円形、略楕円形又は略多角形のいずれかであって表面に突部が形成された直線状又は折曲状等の棒状部材と、前記棒状部材の長手方向に形成され前記棒状部材の両端部で開口する中空部と、前記棒状部材の長手方向の中央部に周面から前記中空部まで連通して形成された枝管係合部と、前記枝管係合部に脱着自在に又は固定して係合された中空部を有する枝管と、を有するＴ字型の接合用治具である構成を有している。
請求項９に記載の小屋パネルは、請求項１乃至６の内いずれか１項において、前記接合用治具が、断面が略円形、略楕円形又は略多角形のいずれかであって表面に突部が形成された直線状又は折曲状等の棒状部材と、前記棒状部材の長手方向に形成され前記棒状部材の一端部で開口し他端部が閉塞された中空部と、前記閉塞側の前記棒状部材の周面から前記中空部まで連通して形成された枝管係合部と、前記枝管係合部に脱着自在に又は固定して係合された中空部を有する枝管と、を有するＬ字型の接合用治具である構成を有している。
請求項１０に記載の小屋パネルは、請求項６において、前記上斜行部材用部材間接合部、前記梁パネル接合部材用上側部材間接合部又は前記梁パネル接合部材用外側部材間接合部、前記梁パネル接合部材用下側部材間接合部又は前記梁パネル接合部材用内側部材間接合部、及び前記下斜行部材用部材間接合部、又は、前記支持部材用部材間接合部、或いは、前記柱部材用部材間接合部の内いずれか１以上が、接合する各部材間の接合面に１部材の周面から穿孔して形成された貫設連通孔形成部と、他部材の接合面に形成された有底連通孔形成部と、前記各接合面を当接させて形成される連通孔と、前記連通孔に挿着された請求項７に記載のストレート型の接合用治具と、前記ストレート型の接合用治具の前記枝管中空部から前記棒状部材の中空部を経て前記連通孔の内壁と前記ストレート型の接合用治具の外壁との間に充填された接着剤で接合された構成を有している。
請求項１１に記載の小屋パネルは、請求項６において、前記上斜行部材用部材間接合部、前記梁パネル接合部材用上側部材間接合部又は前記梁パネル接合部材用外側部材間接合部、前記梁パネル接合部材用下側部材間接合部又は前記梁パネル接合部材用内側部材間接合部、及び前記下斜行部材用部材間接合部、又は、前記支持部材用部材間接合部、或いは、前記柱部材用部材間接合部の内いずれか１以上が、接合する各部材間の接合面に開口して形成された有底連通孔形成部と、前記有底連通孔形成部の開口部から前記接合面に沿って前記部材の周面まで切削された切削部と、他部材の接合面に形成された有底連通孔形成部と、前記各接合面を当接させて形成される連通孔と、前記連通孔及び切削部に前記棒状部材及び枝管が装着された請求項８に記載のＴ字型の接合用治具と、前記Ｔ字型の接合用治具の枝管中空部から棒状部材の中空部を経て前記連通孔内壁と前記Ｔ字型の接合用治具の外壁との間に充填された接着剤で接合された構成を有している。
請求項１２に記載の小屋パネルは、請求項６において、前記上斜行部材用部材間接合部、前記梁パネル接合部材用上側部材間接合部又は前記梁パネル接合部材用外側部材間接合部、前記梁パネル接合部材用下側部材間接合部又は前記梁パネル接合部材用内側部材間接合部、及び前記下斜行部材用部材間接合部、又は、前記支持部材用部材間接合部、或いは、前記柱部材用部材間接合部の内いずれか１以上が、１部材の接合面に開口して形成された有底連通孔形成部と、他部材の接合面に形成せれた連通孔の後部に前記連通孔と連通して形成されたほぞ溝とを有するほぞ溝付き連通孔形成部と、前記各接合面を当接させて形成される連通孔と、前記ほぞ溝から前記連通孔に装着された請求項９に記載のＬ字型の接合用治具と、前記Ｌ字型の接合用治具の枝管中空部から棒状部材の中空部を経て前記連通孔内壁と前記Ｌ字型の接合用治具の外壁との間に充填された接着剤で接合された構成を有している。
請求項１３に記載の小屋パネルの施工方法は、請求項２に記載の小屋パネルの施工方法であって、前記梁パネルと前記梁パネル接合部材を前記接合用治具を用いて接合し前記小屋パネルを所定の間隔で前記梁パネル間に架け渡す梁パネル接合工程と、前記棟木継ぎパネルを前記棟木継ぎパネル接合部材に前記接合用治具を用いて接合し前記小屋パネル間に架け渡す棟木継ぎパネル接合工程と、前記小屋継ぎパネルを前記小屋継ぎパネル接合部材に前記接合用治具を用いて接合し前記小屋パネル間に架け渡す小屋継ぎパネル接合工程と、を有する構成を備えている
請求項１４に記載の小屋パネルの施工方法は、請求項５に記載の小屋パネルの施工方法であって、前記支持部材及び前記小屋継ぎパネル接合部材の下端部と前記梁パネルを前記接合用治具を用いて接合し前記小屋パネルを妻側の前記梁パネル上に立設する梁パネル接合工程と、前記棟木継ぎパネルを前記支持部材と前記接合用治具を用いて接合し前記小屋パネルと他の小屋パネルを連結する棟木継ぎパネル接合工程と、前記小屋継ぎパネルを前記小屋継ぎパネル接合部材と接合用治具を用いて接合し前記小屋パネルと前記他の小屋パネルを連結する小屋継ぎパネル接合工程と、を有する構成を備えている。
【０００６】
ここで、上斜行部材や下斜行部材等の各部材は断面が正方形状或いは長方形状等の角錐状のものが用いられる。断面の一辺の長さは６〜５０ｃｍが好適に用いられる。断面の長さが６ｃｍ未満になるにつれ接合要治具を複数本挿着する場合縁距離（接合要治具と外部との距離。）が取れなくなり又接合用治具の長さも短くなり耐力が小さくなる傾向となり好ましくない。断面の長さが５０ｃｍを越えるにつれ耐力は大きくなるが使用する木材量が増加する傾向があり好ましくない。
上斜行部材や上水平部材と下斜行部材や下水平部材との間隔は２０〜１００ｃｍが好適に用いられる。間隔が２０ｃｍ未満になるにつれ小屋パネルの保持できる積載荷重が小さくなり屋根パネルを支持できない傾向があり好ましくない。間隔が１００ｃｍを越えるにつれ小屋パネルの重量が重くなり現場施工上の取扱が困難となる傾向があり好ましくない。
第１上斜行部材と第２上斜行部材の交角の角度は５〜６０度が好適に用いられる。角度が５度未満になるにつれ雨勾配がとれ難くなり雨漏りの原因となる傾向があり好ましくない。角度が６０度を越えるにつれ屋根勾配がきつくなり施工時の転落の危険性が生じまた使用する屋根材料も多くなる傾向となり好ましくない。
小屋継ぎパネル接合部材は左右対象の位置に１か所垂設されても良いし数か所垂設されても良い。
各部材を２以上の部材に分割して保管や運搬を行い施工時に接合用治具を用いて接合しても良い。
他パネル間接合孔部は第１及び第２上斜行部材の上面や梁パネル接合部材の外側面や棟木継ぎパネル接合部材及び小屋継ぎパネル接合部材の前面及び／後面に穿孔されるのが好ましい。
小屋パネルは柱部及び／又は間柱部を斜行して配設しトラス状に形成しても良い。
【０００７】
妻用の小屋パネルを桁ゆき方向の途中に配設し小屋裏界壁部として使用しても良い。小屋組内部を区切ることにより防火上の効果を有するからである。特に、面材部に不燃材を用いるとより効果的である。
妻用の小屋パネルの面材部に開口部を形成すると、窓や出窓，明りとりとなるので好ましい。また、換気口を形成することにより、小屋裏が換気でき熱や湿気のこもりを防止できる。また面材部に耐火性の外装材を配設すると耐火性を向上させ、延焼を防止できる。更に面材部にＰＥ等のポリオレフィンやその他の防湿性フィルムで防湿層を形成すると外気の湿気の進入を防止できる。
面材部としては、合板、パーティクルボード、ハードボード、硬質木片セメント板、シージングボード、せっこうボード、ラスシート、ＯＳＢ、ＭＤＦ、ＬＶＬ、セメントケイ酸カルシウム板、ロックウール板等が挙げられる。
木材としてはすぎ、べいまつ、べいつが、ひのき、ひば、からまつ、くろまつ、あかまつ、ラワン等が挙げられる。
【０００８】
接合用治具の棒状部材は断面形状が略円形、略楕円、または三角形、四角形、六角形等の略多角形状をした鉄等の金属製やカーボン繊維、ボロン繊維、ガラス繊維、金属繊維等の有機、無機繊維と合成樹脂で成形加工したもの等からなり、その略中央部等の長手方向には接着剤の流入用の中空部が端部から端部に或いは１端部が閉鎖された状態で成形されるのが望ましい。接合用治具の剪断力や曲げ応力等の機械的強度を下げないためである。
棒状部材の外表面に形成された突部は連続状の突状や非連続の突部がランダムに形成されたもの又は螺旋状等棒状部材の他端部等から流出した接着剤のバッファとして機能し、接着剤が棒状部材の外表面と構造部材の連通孔の周壁との間に充填し接着面積を拡げるとともにアンカー効果を付与するような形状に形成されるのが好ましい。
枝管は管状物からなり棒状部材の材質と同一又は異なったもので形成され棒状部材の中空部とその枝管中空部が連通するように係合される。枝管の径は棒状部材と略同一か又はそれより小さく形成しても良い。係合方法は枝管の係合部と棒状部材の係合部に螺孔を形成し螺着するか嵌合部等を形成して嵌合等で係合するようにしても良い。枝管を形成することにより施工現場に応じて接合用治具への接着剤の注入を円滑にすることができる。枝管は接着剤注入後棒状部材との係合を解いて抜き取るのが好ましいが、枝管の長さが短く込栓等をする際に支障がない場合等はそのまま残しても良い。棒状部材や枝管の中空部は接着剤の流入抵抗を軽減化させるために鏡面化仕上げをするのが望ましいが接着剤の粘度が低いときは鏡面仕上げをしなくても良い。
接着剤は適度の粘性を有し棒状部材の中空部及び連通孔の内壁及び棒状部材の外周の間に十分に充填されるのが好ましい。また、乾燥硬化後の体積変化が少なく体積の経時変化がなく経時劣化の少ないものが好ましい。例えば、一液性ポリウレタン系接着剤や二液性ポリウレタン系接着剤或いは一液性エポキシ接着剤や一液性弾性エポキシ接着剤や二液性エポキシ接着剤等が好適に用いられる。
【０００９】
この構成によって、梁パネル接合部材が梁パネルに接合されるので小屋パネルが梁パネルを跨がって架設され小屋パネルを所定の間隔で配設し棟木継ぎパネル及び小屋継ぎパネルにより補強するだけで小屋組を完了できる。また、梁パネルと梁パネル接合部材との接合は他パネル間接合孔部内に挿着された接合用治具と他パネル間接合孔部及び中空部内に充填された接着剤により行われるので接合が強固でがたが生じ難く剛性が高く応力に対する変位を少なくできる。第１及び第２上斜行部材と第１及び第２下斜行部材が梯子状に形成されまた面材部を両面又は片面に覆設するので荷重に対する抵抗力を大きくできる。また、応力を支持する主たる各部材が上述の接合用治具を用いた接合法により接合されるので小屋パネル全体の剛性が高く剪断力、捻じれ力等の各種応力に対する抵抗力を強くできる。棟木継ぎパネル接合部材や小屋継ぎパネル接合部材により小屋パネル間が強固に接合され連結されるので前後方向への抵抗力が強くできる。施工前にパネルを組み立て現場では梁パネルや棟木継ぎパネル接合部材や小屋継ぎパネル接合部材或いは屋根パネルと接合させるだけなので施工工程を少なくでき施工時間を短くできるとともに未熟練者でも容易に施工できる。また、軒部材により屋根パネルの軒部分を安定に載置・接合できる。
また、この構成によって、梁パネル接合部と梁パネルを接合させることにより妻用の小屋パネルを梁パネル上面に載置・接合でき小屋組の妻部分を構成できる。梁パネルと梁パネル接合部の接合は上述の接合用治具で強固に行われるので梁パネルと一体となり強度及び剛性を高くできる。支持部材や棟木パネル接合部材により棟木継ぎパネルや小屋継ぎパネルを介して小屋パネルと連結されるので前後方向に対する強度を高くできる。
各部材を木材、集成材、単板積層材、ＯＳＬ、乃至、化学改質木材の内いずれか１から形成したので、孔堀りや加工がし易く現場での補正や組み立て作業が簡単にできる。
棒状部材が接着剤を介して各部材間に挿着されるので各部材を強固に接合できる。部材間接合部である連通孔に接着剤が充填されているので部材間でガタ等が生じ難く剛性を高くできる。枝管を設けたので注入方向を任意に設定でき、開きが取れない場合でもＬ字型の接合用治具で接合が可能である。
【００１０】
【発明の実施の形態】
以下に本発明の一実施の形態について、図面を参照しながら説明する。
（実施の形態１）
図１は本発明の実施の形態１における小屋パネルの全体正面図である。
図１において、１は実施の形態１における小屋パネル、２は木材、集成材、単板積層材、ＯＳＬ、化学改質木材等からなる断面が正方形状または長方形状に形成され上面に屋根パネル等の屋根材を接合する第１上斜行部材、３は第１上斜行部材２の上端面に上端面が後述する部材間接合部Ａで接合され第１上斜行部材２と左右対称に配設された第２上斜行部材、４は第１上斜行部材２及び第２上斜行部材３の上端面から下方に垂設され第１上斜行部材２及び第２上斜行部材３と部材間接合部Ａで接合され施工時に後述する接合用治具を用いて棟木継ぎパネルと接合される棟木継ぎパネル接合部材、５は第１及び第２上斜行部材２、３から所定の間隔でそれぞれ２本下方に垂設され釘や接着剤で固定され小屋パネル１を補強する間柱部、６は柱材等からなり、第１及び第２上斜行部材２、３の所定の間隔で下方に垂設され第１及び第２上接合部材２、３と部材間接合部Ａで接合され施工時に小屋継ぎパネルを前面及び／又は後面に部材間接合部Ａで接合される小屋継ぎパネル接合部材、７は第１及び第２上斜行部材２、３の下端部に部材間接合部Ａで接合され下方に垂設され施工時に梁パネルと接合される梁パネル接合部材、８、９は第１及び第２上斜行部材２、３にそれぞれ平行に配設された棟木継ぎパネル接合部材４、間柱部５、小屋継ぎパネル接合部材６、及び、梁パネル接合部材７の下部に部材間接合部Ａや釘或いは接着剤で固定された第１下斜行部材及び第２下斜行部材、１０は第１及び第２上斜行部材２，３と第１及び第２下斜行部材８，９の後面の全面に覆設された合板やパーティクルボード等からなる面材部、１１は第１下斜行部材８及び第２下斜行部材９間に架け渡され部材間接合部Ａで接合され幅方向の力を支持するタイビーム、Ｂは小屋パネル１を梁パネル、小屋継ぎパネル、棟木継ぎパネル等と後述する接合用治具を用いて接合する他パネル間接合孔部である。
尚、間柱部５をトラス状に形成してもよい。また、大型家屋の場合は、間柱部５間に更に柱材を加えてもよい。面材部１０は小屋パネル１の設置場所によっては覆設しなくてもよい。また、保管や流通時は第１上下斜行部材２，８、第２上下斜行部材３，９で形成される２つの枠体Ｐ，Ｑに分け卸や小売店、現場で部材間接合部Ａで２つの枠体Ｐ，Ｑを接合するとともにタイビーム１１で固定してもよい。また、２つの枠体Ｐ，Ｑは対称に形成するか各々の大きさを異ならせて作製してもよい。住宅の屋根に合った小屋パネルを作製できる。
【００１１】
次に、部材間接合部Ａの接合構造について、以下図面を用いて説明する。
図２（ａ）はストレート型の接合用治具の正面図であり、図２（ｂ）はＴ字型の接合用治具の断面正面図であり、図２（ｃ）はＬ字型の接合用治具の断面正面図であり、図３は本発明の実施の形態１における小屋パネルのストレート型の接合用治具を用いた部材間接合部Ａの要部透視斜視図であり、図４は本発明の実施の形態１における小屋パネルのＴ字型の接合用治具を用いた部材間接合部Ａの要部断面正面図であり、図５は本発明の実施の形態１における小屋パネルのＬ字型の接合用治具を用いた部材間接合部Ａの要部断面正面図である。
図２において、２０はストレート型の接合用治具、２１は金属製の棒状部材、２２は棒状部材２１の断面中央部から長手方向に穿孔され両端部又は端部に開口部を有する中空部、２３は棒状部材２１の外周に螺旋状に突設された突部、２４は棒状部材２１の一端部又は両端部に膨出状に形成された凸壁部、２５は凸壁部２４、２４間に形成された接着剤案内溝、２６は棒状部材２１の一端部又は略中央部の外周面から中空部２２に穿孔された枝管係合部で螺着等で脱着自在に係合された合成樹脂製や金属製等の枝管、２７は中空部２２に連通された枝管２６の枝管中空部、２８は枝管２６が棒状部材２１の略中央部の枝管係合部に係合されたＴ字型の接合用治具、２９は枝管２６が棒状部材２１の一端部の枝管係合部に係合されたＬ字型の接合用治具、３０は中空部１２の閉塞部である。
【００１２】
図３乃至図５において、３１は接合する第１、第２上下斜行部２、３、８、９や棟木継ぎパネル接合部材４、小屋継ぎパネル接合部材６、梁パネル接合部材７、タイビーム１１等の部材ｘ，ｙの接合面に対向して穿孔された有底連通孔形成部３１ａ，貫設連通孔形成部３１ｂ，ほぞ溝付連通孔形成部３１ｃの２つの該連通孔形成部を連通して形成され接合用治具２０、２８、２９が挿着される連通孔、３２は棒状部材２１の中空部２２を経て接着剤案内溝から流出し棒状部材２１の表面と連通孔３１の内壁間に充填され部材ｘ，ｙ間を強固に固定するＡＨＣ（（株）ホームコネクター製）等からなる接着剤、３３は部材ｘの当接面に連通孔３１の開口部と外部を連通して切削され枝管２６が挿着される切削部、３４は接合用治具２９を挿着するほぞ溝、３５は接合用治具２９の閉塞部３０を残してほぞ溝３４内に挿着された接合用治具２９を固定する埋木である。
【００１３】
次に、接合用治具２０、２８、２９の接合方法について説明する。
まず、図３に示すように、部材ｘの有底連通孔形成部３１ａと、部材ｙの貫設連通孔形成部３１ｂを当接させた連通孔３１の貫設連通孔３１ｂの一端部からストレート型の接合用治具２０を挿着する。次に、ストレート型の接合用治具２０の枝管２６の枝管中空部２７から接着剤を注入し中空部２２を経て接合用治具２０の棒状部材２１の表面と連通孔３１の内壁間に接着剤を充満させる。次いで、枝管２６を取り外し部材ｙの開口部に込栓（図示せず）をする。所定の時間放置し接着剤を硬化させ接合を完了する。
Ｔ字型の接合用治具を用いる場合は、図４に示すように、部材ｙの有底連通孔形成部３１ａの開口部から当接面に沿って部材ｘの側面にかけて形成された切削部３３に、Ｔ字型の接合用治具２７の枝管２６を嵌着し、棒状部材２１を有底連通孔形成部３１ａ，３１ｂに挿着し部材ｘ，ｙを密接させた後、枝管中空部２７から接着剤を注入し前述の工程と同様にして接合を行う。
また、接合する部材ｘ，ｙ間に開きが取れない場合は、図５に示すように、ほぞ溝付連通孔形成部３１ｃを用い、Ｌ字型の接合用治具２９をほぞ溝３４から挿入しスライドさせて連通孔３１内に挿着させる。次いで、ほぞ溝３４に埋木３５を挿着しＬ字型の接合用治具２９の後部に埋木３５を固定した後、前述の工程と同様にして枝管中空部２７から接着剤を注入し接合を行う。
尚、接着剤の連通孔３１への充填が終了した後は枝管２６は枝管係合部から取り外してもよいし部材の径が大きく部材の該連通孔形成部が長いときはそのまま残してもよい。接着剤の連通孔３１への充填後、部材側面の連通孔開口部や切削部、ほぞ溝に込栓を部材の側面と面一になるように押し込む。また、当接面側の該連通孔形成部の周囲又は当接面の周囲にシールテープ等のシール材を配設固定すると接着剤のもれを防止できる。
【００１４】
以上のように本実施の形態の小屋パネルによれば、第１及び第２上斜行部材と平行に配設された第１及び第２下斜行部材と、第１及び第２上斜行部材と第１及び第２下斜行部材間に垂設された梁パネル接合部材と小屋継ぎパネル接合部材と、を有するので、梁パネル、棟木継ぎパネル、及び、小屋継ぎパネルを部材間接合部Ｂにストレート型、Ｔ字型、Ｌ字型の接合用治具のいずれかを挿着し接着剤を連通孔と接合用治具の間に充填し固化して接合するだけで小屋掛け作業を簡単に施工することができる。
またこの接合は剛性の高い金属製の接合用治具を用いた接合なので施工が簡便で作業性に優れる。また、接合用治具を用いた接合なので接合強度が高くかつ剛性も高く荷重が加わった際の変形が少なく変形抵抗に優れ耐久性に優れる。表面に従来のような接合金物の突起物がなく平滑なので塗装や外装施工が容易である。
【００１５】
（実施の形態２）
図６は本発明の実施の形態２における小屋パネルの全体正面図である。
図６において、２は第１上斜行部材、３は第２上斜行部材、４は棟木継ぎパネル接合部材、５は間柱部、６は小屋継ぎパネル接合部材、７は梁パネル接合部材、８は第１下斜行部材、９は第２下斜行部材、１０は面材部、１１はタイビーム、Ａは部材間接合部、Ｂは他パネル間接合孔部である。これらは実施の形態１と同様のものであり同一の符号を付けて説明を省略する。
３０は実施の形態２における小屋パネルである。実施の形態２における小屋パネルにおいては第１及び第２上斜行部材２、３及び第１及び第２下斜行部材８、９が各々２つの部材２ａ，２ｂ，３ａ，３ｂ，８ａ，８ｂ，９ａ，９ｂからなりその接合を部材間接合部Ａで前述の接合用治具で接合している点、及びタイビーム１１を枠体の外側から部材間接合部Ａで固定している点が実施の形態１と異なる。
以上のように本実施の形態によれば、第１及び第２上斜行部材及び第１及び第２下斜行部材を各々２つの部材により形成したので、実施の形態１で挙げた作用の他に短い部材を接合して長大な部材として第１及び第２上斜行部材や第１及び第２下斜行部材の各部材として使用でき間伐材等を用いてもよく、短い部材を有効利用でき資源の効率的運用を図ることができる。また、各斜行部材に長大な木材を部材間接合部で接合して使用することにより１５ｍ以上の長さの小屋パネルを得ることができ、倉庫やドーム等の大型建造物にも対応ができる。
【００１６】
（実施の形態３）
図７は本発明の実施の形態３における小屋パネルの全体正面図である。
図７において、２は第１上斜行部材、３は第２上斜行部材、４は棟木継ぎパネル接合部材、５は間柱部、６は小屋継ぎパネル接合部材、７は梁パネル接合部材、８は第１下斜行部材、９は第２下斜行部材、１０は面材部、Ａは部材間接合部、Ｂは他パネル間接合孔部である。これらは実施の形態１と同様のものであり同一の符号を付けて説明を省略する。
４０は実施の形態３における小屋パネル、４１は第１及び第２上斜行部材２、３の端部から延設され梁パネル接合部材７よりも外部に突出し屋根パネルの軒部を上面に載置・接合する軒部である。
以上のように本実施の形態によれば、第１及び第２上斜行部材から外部に突出した軒部を有するので、実施の形態１で挙げた作用の他に屋根パネルの軒部を安定に設置でき、屋根の施工性を著しく向上させ工期を短縮できる。
【００１７】
（実施の形態４）
図８は本発明の実施の形態４における小屋パネルの全体正面図である。
図８において、２は第１上斜行部材、３は第２上斜行部材、４は棟木継ぎパネル接合部材、５は間柱部、６は小屋継ぎパネル接合部材、７は梁パネル接合部材、８は第１斜行部材、９は第２斜行部材、１０は面材部、Ａは部材間接合部、Ｂは他パネル間接合孔部である。これらは実施の形態１と同様のものであり同一の符号を付けて説明を省略する。
５０は実施の形態４における小屋パネル、５１は梁パネル接合部材である。６０は梁パネル、６０ａ、６０ｂは梁パネル６０の横枠部材、６０ｃは柱材等からなる縦枠部材、６０ｄは間柱部、６０ｅは面材部、Ｂ′は梁パネル６０の横枠部材６０ａに穿設された他パネル間接合孔部Ｂと連通する他パネル間接合孔部、Ａ1 は下斜行部材８、９と小屋継ぎパネル接合部材６及び梁パネル接合部材５１の３本の部材を長尺で径の太いストレート型の接合用治具で接合した部材間接合部である。
実施の形態４における小屋パネルにおいては梁パネル接合部材５１が梁パネル６０の横枠部材６０ａと水平になるように棟木継ぎパネル接合部材４と直交状に第１、第２上斜行部材２、３と第１、第２下斜行部材８、９と部材間接合部Ａで接合用治具２０、２８、２９の内いずれかで接合固定されている点が、実施の形態３の小屋パネルと異なる。３本の部材間を接合するときは各接合面もしくは連通孔の開口部の周囲にシールテープ等のシール材を貼着しシール材を介して各部材間を密接させることにより接着剤の洩れ等がなく簡単に接合できる。
以上のように本実施の形態によれば、梁パネル接合部材が梁パネルの横枠部材と水平に梁パネルと接合できるので、前述の他の実施の形態で挙げた作用の他に、壁パネルや桁行方向の梁パネルが外側に開くのを防止出来る。又梁間方向に配す梁パネルに小屋パネルを乗せかけて組立てができるようになり、施工に手間を省き施工性を向上できる。
小屋パネルと梁パネルは接合用治具で接合されるので剛性、耐力の高い梁パネルと一体となった、非常に強い構造上安全な小屋伏せが可能となる。又梁パネル間に床パネル又は根太を配して床を作ると、空間部は小屋束等がないので、小屋裏部屋や、収納室として使用が出来、小屋裏空間全ての空間を利用出来る。
【００１８】
（実施の形態５）
図９は本発明の実施の形態５における小屋パネルの全体正面図である。
図９において、２は第１上斜行部材、３は第２上斜行部材、４は棟木継ぎパネル接合部材、５は間柱部、６は小屋継ぎパネル接合部材、７は梁パネル接合部材、８は第１下斜行部材、９は第２下斜行部材、１０は面材部、Ａは部材間接合部、Ｂは他パネル間接合孔部、６０は梁パネル、６０ａ、６０ｂは横枠部材、６０ｃは縦枠部材、６０ｅは面材部、Ｂ′は横枠部材６０ａに他パネル間他パネル間接合孔部Ｂと連通するように穿設された他パネル間接合部である。これらは実施の形態１と同様のものであり同一の符号を付けて説明を省略する。
７０は実施の形態５における小屋パネルである。実施の形態５における小屋パネルにおいては第１及び第２上斜行部材２、３及び第１及び第２下斜行部材８、９が各々２つの部材２ａ，２ｂ，３ａ，３ｂ，８ａ，８ｂ，９ａ，９ｂからなりその接合角βが１３５°で八角状に形成されその接合部を部材間接合部Ａで接合用治具２０，２８，２９で接合している点が実施の形態１と異なる。
以上のように本実施の形態によれば、第１及び第２上斜行部材及び第１及び第２下斜行部材を各々２つの部材で八角形状の多角形に形成できるので、前述の他の実施の形態で挙げた作用の他に設計の自在性を向上できる。また、短い部材を第１及び第２上斜行部材や第１及び第２下斜行部材として使用できる。更に各部材間の端面を種々の角度で傾斜面として作成しこれらを接合することで、とともに、種々の形状の小屋組を行うことができる。
また斜行部材を増やすことにより、直線状の部材でわん曲集成材を使用しなくても略アーチ状の屋根を作る事が出来、デザインの広がりが出来る。
【００１９】
（実施の形態６）
図１０は本発明の実施の形態６における小屋パネルの全体正面図である。
図１０において、２は第１上斜行部材、３は第２上斜行部材、４は棟木継ぎパネル接合部材、５は間柱部、６は小屋継ぎパネル接合部材、７は梁パネル接合部材、８は第１下斜行部材、９は第２下斜行部材、１０は面材部、Ａは部材間接合部、Ｂは他パネル間接合孔部、６０は梁パネル、６０ａ、６０ｂは横枠部材、６０ｃは縦枠部材、６０ｄは間柱部、６０ｅは面材部、Ｂ′は横枠部材６０ａに部材間接合部Ｂと連通するように穿設された部材間接合部である。これらは実施の形態１と同様のものであり同一の符号を付けて説明を省略する。
８０は実施の形態６における小屋パネルである。実施の形態６における小屋パネルにおいては第１及び第２上斜行部材２、３及び第１及び第２下斜行部材８、９がそれぞれ円弧状に形成されその部材間接合部を部材間接合部Ａで接合されている点が実施の形態１と異なる。
以上のように本実施の形態によれば、第１及び第２上斜行部材及び第１及び第２下斜行部材を円弧状に形成したので、前述の実施の形態で挙げた作用の他ドーム状に形成でき外観的に見栄えがよく、鉄骨やＲＣを使用しなくても、木製のアーチが作製出来、家全体のデザインを広げることができる。又アーチ形状は風圧力、荷重にも力学的にも有利であることから、大スパンの小屋伏も可能となる。又その空間部を吹抜けにしたり、梁パネル上に床パネルや、根太床を作れば、小屋裏収納室や居室として利用出来る。
（実施の形態７）
【００２０】
図１１は本発明の実施の形態７における妻部に使用される小屋パネルの全体正面図である。
図１１において、９０は実施の形態７における妻部に使用される小屋パネル、９１は木材、集成材、単板積層材、ＯＳＬ、化学改質木材等からなる断面が正方形または長方形状に形成され上面に屋根パネルや、母屋等の角材を前述の他パネル間接合孔部Ｂで接合する第１斜行部材、９２は第１斜行部材９１の上端面に上端面が部材間接合部Ａで接合され上面に屋根パネルを他パネル間接合孔部Ｂで接合する第２斜行部材、９３は第１及び第２斜行部材９１、９２の上端面に前述の部材間接合部Ａにより接合され下方に垂設され前面に棟木継ぎパネルを接合する支持部材、９４は第１及び第２斜行部材９１、９２の所定の位置から下方に垂設され内面で小屋継ぎパネルを他パネル間接合孔部Ｂで接合する小屋継ぎパネル接合部材、９５は第１及び第２斜行枠部材９１、９２の所定の位置で部材間接合部Ａで接合され下方に釘や接着剤により接合され垂設された間柱部、９６は第１及び第２斜行部材９１、９２の外面間に覆設され釘や接着剤で接合された合板、パーティクルボード等からなる面材部、９７は妻パネル９０の下端面に配設され釘や接着剤等で接合される端枠部材、９８は小屋裏に窓や出窓を取りつける開口部、９８′は開口部用の枠体、９９は換気口である。
以上のように本実施の形態の小屋パネルによれば、前述の実施の形態で挙げた作用の他、妻側の梁パネル上に接合用治具で妻パネルを立設して接着剤を注入するだけで剛性の高い、強度の秀れた妻部を簡単に組め、工期を著しく短縮できる。又妻用の小屋パネルに、支持部材や小屋継ぎパネル接合部材を設けたので棟木パネルや小屋継ぎパネルを使用して、妻部と小屋パネルの間隔を長く取ることができる。又小屋パネル間の間隔も長く取れるので、小屋パネルの本数を減らして施工する事ができ、小屋組の施工手間を大幅に短縮出来る。妻用の小屋パネルに開口部及び換気口を設けたので、小屋裏に居室や収納部屋を設けた場合には屋裏空間の居住性を高めることができる。
【００２１】
（実施の形態８）
図１２は本発明の実施の形態８における妻用の小屋パネルの全体正面図である。
図１２において、９１は第１斜行部材、９２は第２斜行部材、９３は支持部材、９４は小屋継ぎパネル接合部材、９５は間柱部、９６は面材部、９７は端枠部材、Ａは部材間接合部、Ｂは他パネル間接合孔部である。これらは実施の形態７と同様のものであり同一の符号を付けて説明を省略する。
１００は実施の形態８における妻用の小屋パネルである。実施の形態８における小屋パネルは第１及び第２斜行部材９１、９２、支持部材９３、及び、面材部９６が分割して形成され施工時にそれぞれが接合用治具２０、２８、２９の内いずれか１で接合されて使用される点が実施の形態７における妻用の小屋パネルと異なる。
以上のように本実施の形態によれば、第１及び第２斜行部材、支持部材、及び、面材部が分割して形成されるので、実施の形態７で挙げた効果の他に運搬が容易でまた小さな空間に保管が可能で取扱が簡便で作業性に優れる。又、長さの短い材料でも使用が可能で資源を有効利用できる。
【００２２】
（実施の形態９）
次に、以上のように構成された小屋パネルについて、以下その施工方法を図面を用いて説明する。
図１３は施工状態を示す分解斜視図であり、図１４はその小屋組み時の側面図である。
図１３及び図１４において、１はタイビーム、面材部を除いた実施の形態１の小屋パネル、５０は実施の形態７における妻用の小屋パネル、６０は柱材を接合用治具２０、２８、２９で接合して得た長大な横枠部材を上下に存しその間に長さの短い間柱材や柱材が接合用治具２０、２８、２９や釘打その他で固定された枠体を形成しその枠体の外側に面材が覆設された梁パネル、６１は棟木継ぎパネル接合部材４間及び棟木継ぎパネル接合部材４と支持部材９３との間に連結され桁方向の応力を支持する柱材で枠体状に形成された棟木継ぎパネル、６２は小屋継ぎパネル接合部材６、６間或いは小屋継ぎパネル６、９４間を連結し桁方向の応力を全体で支持する柱材で枠体状に形成された小屋継ぎパネルである。
尚、梁パネル６０、棟木継ぎパネル６１、小屋継ぎパネル６２の各々の枠体の柱材には小屋パネル１や妻用の小屋パネル９０の他パネル間接合孔部Ｂと対向する位置に他パネル間接合孔部Ｂ′が形成されている。
まず、妻用の小屋パネル９０の支持部材９３及び小屋継ぎパネル接合部材９４の底面を梁パネル６０の上面にＴ字型の接合用治具２８を挿着する。次に、小屋パネル１の梁パネル接合部材７を梁パネル６０の内側の柱材６０ｃに当接させストレート型の接合用治具２０を挿着し仮止めする。小屋パネル１は梁パネル６０の桁ゆき方向に所定の間隔で複数個配設される。さらに、妻用の小屋パネル９０の支持部材９３と小屋継ぎパネル接合部材９４に棟木継ぎパネル６１及び小屋継ぎパネル６２を当接させ、又は配設させ他パネル間接合孔部Ｂ、Ｂ′間にストレート型の接合用治具２０やＴ字型の接合用治具２８を挿着して仮止めする。次に、棟木継ぎパネル６１及び小屋継ぎパネル６２を小屋パネル１の棟木継ぎパネル接合部材４及び小屋継ぎパネル接合部材６に架け渡す。この際小屋パネル１は仮止めなので開きが取れＴ字型の接合用治具２８が簡単に挿着できる。全体の仮止めが完了すると各他パネル間接合孔部Ｂ，Ｂ′に前述の部材間接合部Ａと同様にして接着剤を充填し込栓を行い接合を完了する。或いは各パネルを一方から順に組み立てていっても良い。第１、第２の上斜行部材にストレート型の型接合用治具で接合或いは棟木継ぎパネル及び母屋パネル継ぎパネル上枠材を略長目に作って、妻用の小屋パネル上にケラ端として、小屋パネルや妻用の小屋パネルに接合してもよい。
屋根荷重の軽いスレートぶき屋根や、金属製の屋根の場合には小屋パネルと妻パネル等の接合には棟木継ぎパネルや小屋継ぎパネルを省略して、角状の母屋材等を妻用の小屋パネルや小屋パネルの上に接合してもよい。
尚、妻用の小屋パネルの面材部の裏面にＰＥ等のポリオレフィン等からなる防湿層を形成してもよい。結露を防止し部材の腐食等を防ぐことができる。又断熱材を部材間に露出した面材部の裏面に配設固定してもよい。小屋裏の高湿化や高温化を防止し省エネルギー性を向上できる。
以上のように本実施の形態によれば、小屋パネルを梁パネル上に載置し棟木継ぎパネルや小屋継ぎパネルに接合用治具を用いて接合するだけで施工を完了でき施工工程数を著しく削減でき、その結果工期を著しく短縮できる。また、施工が簡単なので、未熟練作業者でも容易に施工ができ作業性に優れる。各部材が接合用治具で接合されており接合強度が高く剛性が高くまた応力に対する抵抗力が強く耐久性に優れる。表面に取付金具等の突起物がないので塗装や外装板施工等が容易で外装板の付着性等が向上できる。
【００２３】
【発明の効果】
以上のように本発明の小屋パネルによれば、以下の優れた効果を実現できる。
（１）梁パネルや小屋継ぎパネル或いは棟木継ぎパネルと接合用治具を用いて接合するだけで小屋組の施工が完了し複雑な施工を施す必要がなくまた工程が短いので施工時間も短縮できる。また、連通孔を形成し接合用治具を挿着し接着剤を充填するだけで接合が完了するので未熟練作業者でも簡便に作業ができ作業性に極めて優れる。
（２）荷重或いは応力を支持する主要部材が接合用治具で接合されており接合強度が高くまた剛性が高いので応力が加わっても変形が少なく耐震性に優れる。
（３）接合用治具を用いて任意の位置を接合できるとともに部材間接合部の接合強度及び剛性が高く重荷重を支持することができるので、小屋組を自在に形成でき設計の自由度を著しく高めることができる。
（４）部材の表面に取付金具等の突起物がないので表面が平滑であるとともに単純な構成なので外装板を装着する場合に施工を行い易く、また見栄えのよい高品質の住宅を得ることができる。
（５）小屋組の内部構造が単純であり空間が広くまた気密性等に優れるので小屋組内部を物置や居室若しくは多目的室等に有効利用でき設計の選択肢が広がる。
（６）小屋組全体の剛性が高く強度が高いので、小屋パネルの施工枚数を最小限にでき施工工程が単純化され、省力化や作業性に優れるとともに使用する資材を省略でき資源の有効利用が可能である。
（７）長さの短い間伐材等も接合用治具で接合して使用でき資材の入手が簡単になると同時に低品質材の有効利用を図ることができる。
（８）火災の際、部材の表面が炎上しても表面の炭化被膜が断熱材の役目をして内部の接合用治具には影響を与え難く構造物の倒壊を防止できる。
（９）構成する部材の部品点数が少なく、標準化が容易なので工業化により量産でき生産性を向上させ低原価化が図れる。
（１０）間柱部及び柱部をトラス状に配設した場合は、荷重に対する抵抗力が高く強度が大きく耐久性に優れる。
（１１）また、妻用の小屋パネルは一体にパネル化されているので、従来のように施工現場で部材を一個づつ組み立てる必要がなく施工工程を著しく短縮し簡便化できるので工期の短縮化が図れるとともに、未熟練工でも施工が可能で作業性を向上させることができる。
（１２）妻用の小屋パネルは応力を支持する主要な部材間を接合用治具で接合しているので接合強度が高く剛性が大きい。従って、応力に対する抗力が強く部材間接合部分でがたが生じ難くまた撓み等も少なく全体に剛構造となり耐震性に優れる。
（１３）妻用の小屋パネルは部材の表面が平滑であり塗装や外装施工が容易にできる。
（１４）火災の際、妻用の小屋パネルの面材部の表面に難燃性の外装材（ケイ酸カルシウムやモルタルその他の難燃性外装材）が簡単に覆設でき、延焼を防ぎ耐火性や防火性を向上できる。
（１５）間柱部及び柱部をトラス状に配設したので荷重の対する抵抗力が高く強度が大きく耐久性に優れる。
また、本発明の小屋パネルの施工方法によれば、以下の優れた効果を実現できる。
（１）小屋パネルの数を減らすことが可能であり梁パネル上に小屋組を簡便かつ作業性良く施工できる。
（２）接合用治具を用いて梁パネルと接合するので剛性及び耐力が高く耐震性に優れる。更に、棟木継ぎパネル及び小屋継ぎパネルで小屋パネル間を連結し、この際の接合は接合用治具を用いて行われるので小屋パネル同士が剛性及び耐力を高く結合され変形が少なく耐久性及び耐震性を向上させることができる。
（３）梁パネルや小屋継ぎパネル或いは棟木継ぎパネルと接合用治具を用いて接合するだけで小屋組の施工が完了し複雑な施工を施す必要がなくまた工程が短いので施工時間も短縮できる。また、連通孔を形成し接合用治具を挿着し接着剤を充填するだけで接合が完了するので未熟練作業者でも簡便に作業ができ作業性を向上させることができる。
（４）接合用治具を用いて任意の位置を接合できるとともに部材間接合部の強度及び剛性が高く荷重を支持することができるので、小屋組を自在に形成でき設計の自由度を高めることができる。
（５）小屋組の内部構造が単純であり空間が広くまた気密性等に優れるので小屋組内部を物置や居室や他目的室等に有効利用でき設計の選択肢が広がる。
（６）妻用の小屋パネルの面材部の裏面に防湿層を有する場合は、結露を防止し部材の耐久性を向上させることができる。
（７）妻用の小屋パネルの面材部の裏面に断熱材を有する場合は、小屋裏の断熱ができ夏期等小屋裏の高温化を防ぎ省エネルギー性を高めることができる。
【図面の簡単な説明】
【図１】本発明の実施の形態１における小屋パネルの全体正面図
【図２】（ａ）部材間接合部Ａに用いられるストレート型の接合用治具の断面正面図
（ｂ）部材間接合部Ａに用いられるＴ字型の接合用治具の断面正面図
（ｃ）部材間接合部Ａに用いられるＬ字の接合用治具の断面正面図
【図３】本発明の実施の形態１における小屋パネルのストレート型の接合用治具を用いた部材間接合部Ａの要部透視斜視図
【図４】本発明の実施の形態１における小屋パネルのＴ字型の接合用治具を用いた部材間接合部Ａの要部断面正面図
【図５】本発明の実施の形態１における小屋パネルのＬ字型の接合用治具を用いた部材間接合部Ａの要部断面正面図
【図６】本発明の実施の形態２における小屋パネルの全体正面図
【図７】本発明の実施の形態３における小屋パネルの全体正面図
【図８】本発明の実施の形態４における小屋パネルの全体正面図
【図９】本発明の実施の形態５における小屋パネルの全体正面図
【図１０】本発明の実施の形態６における小屋パネルの全体正面図
【図１１】本発明の実施の形態７における妻部に使用される小屋パネルの全体正面図
【図１２】本発明の実施の形態８における妻部に使用される小屋パネルの全体正面図
【図１３】本発明の小屋パネルの施工状態を示す分解斜視図
【図１４】本発明の小屋パネルを用いた小屋組み時の側面図
【符号の説明】
１  実施の形態１における小屋パネル
２  第１上斜行部材
３  第２上斜行部材
４  棟木継ぎパネル接合部材
５  間柱部
６  小屋継ぎパネル接合部材
７  梁パネル接合部材
８  第１下斜行部材
９  第２下斜行部材
１０  面材部
１１  タイビーム
Ａ，Ａ1   部材間接合部
Ｂ  他パネル間接合孔部
２０  ストレート型の接合用治具
２１  棒状部材
２２  中空部
２３  突部
２４  凸壁部
２５  接着剤案内溝
２６  枝管
２７  枝管中空部
２８  Ｔ字型の接合用治具
２９  Ｌ字型の接合用治具
３０  閉塞部
３１  連通孔
３２  接着剤
３３  切削部
３４  ほぞ溝
３５  埋木
４０  実施の形態３における小屋パネル
４１  軒部
５０  実施の形態４における小屋パネル
５１  梁パネル接合部材
６０  梁パネル
６１  棟木継ぎパネル
６２  小屋継ぎパネル
７０  実施の形態５における小屋パネル
８０  実施の形態６における小屋パネル
９０  実施の形態７における小屋パネル
９１  第１斜行部材
９２  第２斜行部材
９３  支持部材
９４  小屋継ぎパネル接合部材
９５  間柱部
９６  面材部
９７  端枠部材
９８  開口部
９９  換気口
【図１】
0003819982.tif 000002
【図２】
0003819982.tif 000003
【図３】
0003819982.tif 000004
【図４】
0003819982.tif 000005
【図５】
0003819982.tif 000006
【図６】
0003819982.tif 000007
【図７】
0003819982.tif 000008
【図８】
0003819982.tif 000009
【図９】
0003819982.tif 000010
【図１０】
0003819982.tif 000011
【図１１】
0003819982.tif 000012
【図１２】
0003819982.tif 000013
【図１３】
0003819982.tif 000014
【図１４】
0003819982.tif 000015